【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  温水の目標温度、目標加熱制御水量、目標給水量の温水供給環境を制御する温水の加熱制御装置であって、現在時刻など時刻情報を計時する加熱制御装置使用時刻計時手段と、前記加熱制御装置の使用を検知する使用検出手段と、前記使用検出手段が検知した時刻に関する使用検出時刻情報を記録する使用検出時刻情報記憶手段と、前記記憶された使用検出時刻情報に基づいて、前記温水供給環境の温水の目標温度、目標加熱制御水量、目標給水量の制御内容を決定する制御内容決定手段と、該決定された温水供給環境の制御内容に基づいて、前記温水供給環境を制御する温水供給環境制御手段とを備えた温水の加熱制御装置において、前記使用検出時刻情報記憶手段は少なくとも所定期間分の前記使用検出時刻情報を記憶する手段であり、前記制御内容決定手段は、各時刻における加熱制御装置の使用され易さを表す指標たる加熱制御装置使用頻度を、前記記憶されている使用検出時刻情報に基づいて算出する使用頻度算出手段を備え、前記算出された加熱制御装置使用頻度に基づいて、制御を実施する日の各時刻での前記温水供給環境の制御内容を決定することを特徴とする温水の加熱制御装置。
【請求項２】  請求項１記載の温水の加熱制御装置において、前記使用頻度算出手段は、前記使用検出時刻情報の時刻情報と制御を実施する日の各時刻との差に制御実施日に近いほど重みを持たせる演算式を適用して得られた演算値と所定の閾値とを比較することにより、多値化された前記加熱制御装置使用頻度を算出する手段であることを特徴とする温水の加熱制御装置。
【請求項３】  請求項１又は２記載の温水の加熱制御装置において、前記制御内容決定手段は、前記使用検出手段が加熱制御装置の使用を検出した場合は、前記温水供給環境の目標温度を上昇させる手段であることを特徴とする温水の加熱制御装置。
【請求項４】  請求項１又は２記載の温水の加熱制御装置において、前記制御内容決定手段は、前記制御内容として、前記温水供給環境の温水加熱運転開始時刻あるいは温水加熱運転終了時刻を決定する手段であり、前記温水供給環境制御手段は、前記温水供給環境の該決定された温水加熱運転開始時刻に温水を貯めておくために備えられたタンク内の水への加熱動作を開始し、前記温水供給環境の該決定された温水加熱運転終了時刻に温水を貯めておくために備えられたタンク内の水への加熱動作を終了するように制御する手段であることを特徴とする温水の加熱制御装置。
【手続補正２】
【補正対象書類名】明細書
【補正対象項目名】０００７
【補正方法】変更
【補正の内容】
【０００７】
【課題を解決するための手段】  上記目的を達成するため、温水の目標温度、目標加熱制御水量、目標給水量の温水供給環境を制御する温水の加熱制御装置であって、現在時刻など時刻情報を計時する加熱制御装置使用時刻計時手段と、前記加熱制御装置の使用を検知する使用検出手段と、前記使用検出手段が検知した時刻に関する使用検出時刻情報を記録する使用検出時刻情報記憶手段と、前記記憶された使用検出時刻情報に基づいて、前記温水供給環境の温水の目標温度、目標加熱制御水量、目標給水量の制御内容を決定する制御内容決定手段と、該決定された温水供給環境の制御内容に基づいて、前記温水供給環境を制御する温水供給環境制御手段とを備えた温水の加熱制御装置において、前記使用検出時刻情報記憶手段は少なくとも所定期間分の前記使用検出時刻情報を記憶する手段であり、前記制御内容決定手段は、各時刻における加熱制御装置の使用され易さを表す指標たる加熱制御装置使用頻度を、前記記憶されている使用検出時刻情報に基づいて算出する使用頻度算出手段を備え、前記算出された加熱制御装置使用頻度に基づいて、制御を実施する日の各時刻での前記温水供給環境の制御内容を決定する。
【手続補正３】
【補正対象書類名】明細書
【補正対象項目名】００１０
【補正方法】変更
【補正の内容】
【００１０】
さらに、これにより、少なくとも所定期間（例えば１日分）の使用検出時刻情報を記憶しておき、該使用検出時刻情報に基づいて温水の使用され易さを表す指標たる加熱制御装置使用頻度を算出し、算出した加熱制御装置使用頻度に基づいて温水供給環境の制御内容を決定するようにしてもよい。例えば、温水が使用され易い時間、すなわち加熱制御装置使用頻度が大と算出された時間では、温水の目標温度を上げておき、逆に温水が使用されることはない時間、すなわち加熱制御装置使用頻度がゼロと算出された時間では、目標温度を下げたり、温水の加熱をやめたりする制御をして、エネルギの消費を回避する。
【手続補正４】
【補正対象書類名】明細書
【補正対象項目名】００１１
【補正方法】変更
【補正の内容】
【００１１】
請求項１記載の温水の加熱制御装置において、前記使用頻度算出手段は、前記使用検出時刻情報の時刻情報と制御を実施する日の各時刻との差に制御実施日に近いほど重みを持たせる演算式を適用して得られた演算値と所定の閾値とを比較することにより、多値化された前記加熱制御装置使用頻度を算出する手段であることを特徴とする。
使用検出時刻情報の時刻情報と制御を実施する日の各時刻の差は、この時間の温水が使用され易さの目安であり、この差と閾値を比較して所定時間内であるかどうかで温水の使用され易さを表す指標たる加熱制御装置使用頻度を算出し、算出した加熱制御装置使用頻度に基づいて温水供給環境の制御内容を決定するようにしてもよいし、さらに、差に所定の演算式を適用し、得られた演算値と所定の閾値とを比較して、例えば演算値が閾値より大きければ加熱制御装置使用頻度を大とし、演算値が閾値より小さければ加熱制御装置使用頻度を小とするなどにより、加熱制御装置使用頻度を算出してもよい。このような方法により例えば差の逆数に所定の係数を掛けるなどの演算式を適用すれば、使用検出時刻情報の時刻情報と制御を実施する日の各時刻の時間が近ければ近いほど使用され易さに重みをつけることができる。また、過去よりも未来に重みをつけた演算式を適用し所定の閾値と比較すれば、制御を実施する日の各時刻の未来で使用され易いのであれば加熱制御装置使用頻度が大と算出され、温水の温度を上げておくことで使用される時間に温水がまだ低いということが起こりにくくなり温水使用者に不快感を与えにくくなり、逆に制御を実施する日の各時刻の未来で使用されないのであれば加熱制御装置使用頻度が小と算出され、温水の目標温度を早く下げることでエネルギの消費を回避することができる。もちろん、必要に応じて閾値を２つ以上用意し、各閾値と演算値とを比較することによって加熱制御装置使用頻度を細かく判断しても良い。こうすれば、温水供給環境をきめ細かく制御することができるので好ましい。
【手続補正５】
【補正対象書類名】明細書
【補正対象項目名】００１２
【補正方法】変更
【補正の内容】
【００１２】
請求項１又は２記載の温水の加熱制御装置において、前記制御内容決定手段は、前記使用検出手段が加熱制御装置の使用を検出した場合は、前記温水供給環境の目標温度を上昇させる手段であることを特徴とする。
これにより、温水が使用されにくい時間、すなわち加熱制御装置使用頻度が小と算出された時間に、目標温度を下げたり、温水の加熱をやめたりする制御をしている場合に、温度が低い温水しかでなければ温水使用者に不快を感じさせてしまうが、本案の温水の加熱制御装置では、温水の使用を検出すれば目標温度を上げるので、温水使用者はしばらく待った後、再度温水を使用すれば目標温度に達した温水を使用することができ、温水使用者に不快を感じさせることが少なくなる。
【手続補正６】
【補正対象書類名】明細書
【補正対象項目名】００１３
【補正方法】変更
【補正の内容】
【００１３】
請求項１又は２記載の温水の加熱制御装置において、前記制御内容決定手段は、前記制御内容として、前記温水供給環境の温水加熱運転開始時刻あるいは温水加熱運転終了時刻を決定する手段であり、前記温水供給環境制御手段は、前記温水供給環境の該決定された温水加熱運転開始時刻に温水を貯めておくために備えられたタンク内の水への加熱動作を開始し、前記温水供給環境の該決定された温水加熱運転終了時刻に温水を貯めておくために備えられたタンク内の水への加熱動作を終了するように制御する手段であることを特徴とする。
これにより、例えば、事業所の業務終了時刻以降の温水が使用されない時間、すなわち加熱制御装置の使用頻度がゼロと算出された時間から決定された排水時刻に排水すれば、タンク内の水位が下がりタンク内の加熱水量が減りエネルギの消費を回避できる。また、逆に事業所の業務開始時刻以降の温水が使用される時間、すなわち加熱制御装置の使用頻度が有りと算出された時間から決定される給水時刻に給水すれば、タンク内の水位が上がり温水を使用されても湯切れをしにくくなるので温水使用者に不快を感じさせることが少なくなる。また、タンク内の水を排水して給水することは衛生面から好ましく、最近の貯湯式タンクにはこの給排水の機能が備えられているが、給排水は温水使用者が手動で行うか、給排水の時刻を温
水使用者が固定して設定しているので温水の使用頻度に係わらず給排水を行っており、エネルギを浪費している。本案の温水の加熱制御装置では、加熱制御装置使用頻度に応じて給排水の実施可否も含めた給排水の時刻を決定するので、例えば所定時間内の温水の使用頻度が大きい場合は、給排水を行わせないことで、エネルギの消費を回避でき、所定時間内の温水の使用頻度が小さい場合は、加熱制御装置の使用頻度がゼロと算出された時間内で、加熱制御装置の使用頻度が有りと算出された時間になる前として決定された時刻に、給排水を行うので衛生的かつ温水使用者に不便を感じさせることがないので好適である。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００６９
【補正方法】変更
【補正の内容】
【００６９】
さらに、例えば、温水が使用され易い時間、すなわち加熱制御装置使用頻度が大と算出された時間では、温水の目標温度を上げておき、逆に温水が使用されることはない時間、すなわち加熱制御装置使用頻度がゼロと算出された時間では、目標温度を下げたり、温水の加熱をやめたりする制御をして、エネルギの消費を回避する。
【手続補正３３】
【補正対象書類名】明細書
【補正対象項目名】００７０
【補正方法】変更
【補正の内容】
【００７０】
請求項２では、例えば差の逆数に所定の係数を掛けるなどの演算式を適用すれば、使用検出時刻情報の時刻情報と制御を実施する日の各時刻の時間が近ければ近いほど使用され易さに重みをつけることができる。また、過去よりも未来に重みをつけた演算式を適用し所定の閾値と比較すれば、制御を実施する日の各時刻の未来で使用され易いのであれば加熱制御装置使用頻度が大と算出され、温水の温度を上げておくことで使用される時間に温水がまだ低いということが起こりにくくなり温水使用者に不快感を与えにくくなり、逆に制御を実施する日の各時刻の未来で使用されないのであれば加熱制御装置使用頻度が小と算出され、温水の目標温度を早く下げることでエネルギの消費を回避することができる。もちろん、必要に応じて閾値を２つ以上用意し、各閾値と演算値とを比較することによって加熱制御装置使用頻度を細かく判断しても良い。こうすれば、温水供給環境をきめ細かく制御することができる。
【手続補正３４】
【補正対象書類名】明細書
【補正対象項目名】００７１
【補正方法】変更
【補正の内容】
【００７１】
請求項３では、温水が使用されにくい時間、すなわち加熱制御装置使用頻度が小と算出された時間に、目標温度を下げたり、温水の加熱をやめたりする制御をしている場合に、温度が低い温水しかでなければ温水使用者に不快を感じさせてしまうが、本案の温水の加熱制御装置では、温水の使用を検出すれば目標温度を上げるので、温水使用者はしばらく待った後、再度温水を使用すれば目標温度に達した温水を使用することができ、温水使用者に不快を感じさせることが少なくなる。
【手続補正３５】
【補正対象書類名】明細書
【補正対象項目名】００７２
【補正方法】変更
【補正の内容】
【００７２】
請求項４では、例えば、事業所の業務終了時刻以降の温水が使用されない時間、すなわち加熱制御装置の使用頻度がゼロと算出された時間から決定された排水時刻に排水すれば、タンク内の水位が下がりタンク内の加熱水量が減りエネルギの消費を回避できる。また、逆に事業所の業務開始時刻以降の温水が使用される時間、すなわち加熱制御装置の使用頻度が有りと算出された時間から決定される給水時刻に給水すれば、タンク内の水位が上がり温水を使用されても湯切れをしにくくなるので温水使用者に不快を感じさせることが少なくなる。また、タンク内の水を排水して給水することは衛生面から好ましく、最近の貯湯式タンクにはこの給排水の機能が備えられているが、給排水は温水使用者が手動で行うか、給排水の時刻を温水使用者が固定して設定しているので温水の使用頻度に係わらず給排水を行っており、エネルギを浪費している。本案の温水の加熱制御装置では、加熱制御装置使用頻度に応じて給排水の実施可否も含めた給排水の時刻を決定するので、例えば所定時間内の温水の使用頻度が大きい場合は、給排水を行わせないことで、エネルギの消費を回避でき、所定時間内の温水の使用頻度が小さい場合は、加熱制御装置の使用頻度がゼロと算出された時間内で、加熱制御装置の使用頻度が有りと算出された時間になる前として決定された時刻に、給排水を行うので衛生的かつ温水使用者に不便を感じさせることがない。
【手続補正３６】
【補正対象書類名】明細書
【補正対象項目名】００７３
【補正方法】削除
【補正の内容】
【手続補正３７】
【補正対象書類名】明細書
【補正対象項目名】００７４
【補正方法】削除
【補正の内容】
【手続補正３８】
【補正対象書類名】明細書
【補正対象項目名】００７５
【補正方法】削除
【補正の内容】
【手続補正３９】
【補正対象書類名】明細書
【補正対象項目名】００７６
【補正方法】削除
【補正の内容】
【手続補正４０】
【補正対象書類名】明細書
【補正対象項目名】００７７
【補正方法】削除
【補正の内容】
【手続補正４１】
【補正対象書類名】明細書
【補正対象項目名】００７８
【補正方法】削除
【補正の内容】
【手続補正４２】
【補正対象書類名】明細書
【補正対象項目名】００７９
【補正方法】削除
【補正の内容】
【手続補正４３】
【補正対象書類名】明細書
【補正対象項目名】００８０
【補正方法】削除
【補正の内容】
【手続補正４４】
【補正対象書類名】明細書
【補正対象項目名】００８１
【補正方法】削除
【補正の内容】
【手続補正４５】
【補正対象書類名】明細書
【補正対象項目名】００８２
【補正方法】削除
【補正の内容】
【手続補正４６】
【補正対象書類名】明細書
【補正対象項目名】００８３
【補正方法】削除
【補正の内容】
【手続補正４７】
【補正対象書類名】明細書
【補正対象項目名】００８４
【補正方法】削除
【補正の内容】
【手続補正４８】
【補正対象書類名】明細書
【補正対象項目名】００８５
【補正方法】削除
【補正の内容】
【手続補正４９】
【補正対象書類名】明細書
【補正対象項目名】００８６
【補正方法】削除
【補正の内容】
【手続補正５０】
【補正対象書類名】明細書
【補正対象項目名】００８７
【補正方法】削除
【補正の内容】
【手続補正５１】
【補正対象書類名】明細書
【補正対象項目名】００８８
【補正方法】削除
【補正の内容】
【手続補正５２】
【補正対象書類名】明細書
【補正対象項目名】００８９
【補正方法】削除
【補正の内容】
【手続補正５３】
【補正対象書類名】明細書
【補正対象項目名】００９０
【補正方法】削除
【補正の内容】
【手続補正５４】
【補正対象書類名】明細書
【補正対象項目名】００９１
【補正方法】削除
【補正の内容】
【手続補正５５】
【補正対象書類名】明細書
【補正対象項目名】００９２
【補正方法】削除
【補正の内容】
【手続補正５６】
【補正対象書類名】明細書
【補正対象項目名】００９３
【補正方法】削除
【補正の内容】
【手続補正５７】
【補正対象書類名】明細書
【補正対象項目名】００９４
【補正方法】削除
【補正の内容】
【手続補正５８】
【補正対象書類名】明細書
【補正対象項目名】００９５
【補正方法】削除
【補正の内容】
【手続補正５９】
【補正対象書類名】明細書
【補正対象項目名】００９６
【補正方法】削除
【補正の内容】
【手続補正６０】
【補正対象書類名】明細書
【補正対象項目名】００９７
【補正方法】削除
【補正の内容】